(57)【要約】      （修正有）【課題】電子装置内の放熱モジュールに連結できる外付け型放熱装置を提供する。【解決手段】外付け型放熱装置２０は、電子装置１０の孔に挿入される一端を有し、抜出自由に放熱モジュール１８に連結され、放熱モジュールの熱を伝導するための導熱部２２と、導熱部の他端に設けられ、導熱部から伝導されてきた放熱モジュールの熱を放散するための放熱部２４とを含む。【選択図】図１
0003156211.tif 000002
【実用新案登録請求の範囲】
【請求項１】
電子装置内の放熱モジュールに連結するための外付け型放熱装置であって、
前記電子装置の孔に挿入される一端を有し、抜出自由に放熱モジュールに連結され、放熱モジュールの熱を伝導するための導熱部と、
前記導熱部の他端に設けられ、前記導熱部から伝導されてきた前記放熱モジュールの熱を放散するための放熱部とを含む、外付け型放熱装置。
【請求項２】
前記外付け型放熱装置は更に、
前記放熱部の一側に設けられ、前記放熱部の熱を放散するための外付け型ファンを含む、請求項１に記載の外付け型放熱装置。
【請求項３】
前記導熱部は締りばめ方式で前記放熱モジュールに連結される、請求項１に記載の外付け型放熱装置。
【請求項４】
前記導熱部は挟持方式で前記放熱モジュールに連結される、請求項３に記載の外付け型放熱装置。
【請求項５】
前記導熱部には複数の突起が形成され、前記放熱モジュールには、前記導熱部と前記放熱モジュールの連結時に複数の突起と係合するための、対応する複数の凹部が形成され、複数の突起は前記導熱部と前記放熱モジュールとの接触面積を増やすために用いられる、請求項１に記載の外付け型放熱装置。
【請求項６】
前記複数の突起は耐磨耗材料で形成される、請求項５に記載の外付け型放熱装置。
【請求項７】
前記導熱部には複数の凹部が形成され、前記放熱モジュールには、前記導熱部と前記放熱モジュールの連結時に複数の凹部と係合するための、対応する複数の突起が形成され、複数の凹部は前記導熱部と前記放熱モジュールとの接触面積を増やすために用いられる、請求項１に記載の外付け型放熱装置。
【請求項８】
前記複数の突起は耐磨耗材料で形成される、請求項７に記載の外付け型放熱装置。
【請求項９】
前記導熱部の一端が前記電子装置の前記孔に挿入されたとき、前記電子装置内のスイッチはトリガーされ信号を出力する、請求項１に記載の外付け型放熱装置。
【請求項１０】
前記スイッチは前記信号を出力することで、前記電子装置のファンの回転速度を調整する、請求項９に記載の外付け型放熱装置。
【請求項１１】
前記放熱部は放熱フィンである、請求項１に記載の外付け型放熱装置。
【請求項１２】
前記導熱部は金属ロッドである、請求項１に記載の外付け型放熱装置。
【請求項１３】
外付け型放熱装置と連結できる電子装置であって、
孔が形成された筐体と、
前記筐体内に設けられる熱源と、
前記筐体内で前記熱源の一側に設けられ、前記熱源による発熱を放散する放熱モジュールと、
外付け型放熱装置とを含み、外付け型放熱装置は、
前記筐体の前記孔に挿入される一端を有し、抜出自由に前記放熱モジュールに連結され、前記放熱モジュールの熱を伝導するための導熱部と、
前記導熱部の他端に設けられ、前記導熱部から伝導されてきた前記放熱モジュールの熱を放散するための放熱部とを含む、電子装置。
【請求項１４】
前記外付け型放熱装置は更に、
前記放熱部の一側に設けられ、前記放熱部の熱を放散するための外付け型ファンを含む、請求項１３に記載の電子装置。
【請求項１５】
前記導熱部は締りばめ方式で前記放熱モジュールに連結される、請求項１３に記載の電子装置。
【請求項１６】
前記導熱部は挟持方式で前記放熱モジュールに連結される、請求項１５に記載の電子装置。
【請求項１７】
前記導熱部には複数の突起が形成され、前記放熱モジュールには、前記導熱部と前記放熱モジュールの連結時に複数の突起と係合するための、対応する複数の凹部が形成され、複数の突起は前記導熱部と前記放熱モジュールとの接触面積を増やすために用いられる、請求項１３に記載の電子装置。
【請求項１８】
前記複数の突起は耐磨耗材料で形成される、請求項１７に記載の電子装置。
【請求項１９】
前記導熱部には複数の凹部が形成され、前記放熱モジュールには、前記導熱部と前記放熱モジュールの連結時に複数の凹部と係合するための、対応する複数の突起が形成され、複数の凹部は前記導熱部と前記放熱モジュールとの接触面積を増やすために用いられる、請求項１３に記載の電子装置。
【請求項２０】
前記複数の突起は耐磨耗材料で形成される、請求項１９に記載の電子装置。
【請求項２１】
前記電子装置は更に、
前記筐体内に設けられるファンと、
前記ファンに電気的に接続され、前記導熱部の一端が前記電子装置の前記孔に挿入されたときにトリガーされ、前記ファンの回転速度を調整するスイッチとを含む、請求項１３に記載の電子装置。
【請求項２２】
前記放熱部は放熱フィンである、請求項１３に記載の電子装置。
【請求項２３】
前記導熱部は金属ロッドである、請求項１３に記載の電子装置。
【請求項２４】
電子装置内の放熱モジュールに連結するための外付け型放熱装置であって、
前記電子装置の孔に挿入される一端を有し、抜出自由に放熱モジュールに連結され、放熱モジュールの熱を伝導するための導熱部と、
前記導熱部の他端に設けられ、前記導熱部から伝導されてきた前記放熱モジュールの熱を蓄積するための蓄熱部とを含む、外付け型放熱装置。
【請求項２５】
前記蓄熱部は加熱器である、請求項２４に記載の外付け型放熱装置。
【請求項２６】
前記蓄熱部は精油を加熱するための導熱容器である、請求項２５に記載の外付け型放熱装置。
【請求項２７】
前記蓄熱部は導熱プレートである、請求項２５に記載の外付け型放熱装置。
【請求項２８】
前記導熱部は締りばめ方式で前記放熱モジュールに連結される、請求項２４に記載の外付け型放熱装置。
【請求項２９】
前記導熱部は挟持方式で前記放熱モジュールに連結される、請求項２８に記載の外付け型放熱装置。
【請求項３０】
前記導熱部には複数の突起が形成され、前記放熱モジュールには、前記導熱部と前記放熱モジュールの連結時に複数の突起と係合するための、対応する複数の凹部が形成され、複数の突起は前記導熱部と前記放熱モジュールとの接触面積を増やすために用いられる、請求項２４に記載の外付け型放熱装置。
【請求項３１】
前記複数の突起は耐磨耗材料で形成される、請求項３０に記載の外付け型放熱装置。
【請求項３２】
前記導熱部には複数の凹部が形成され、前記放熱モジュールには、前記導熱部と前記放熱モジュールの連結時に複数の凹部と係合するための、対応する複数の突起が形成され、複数の凹部は前記導熱部と前記放熱モジュールとの接触面積を増やすために用いられる、請求項２４に記載の外付け型放熱装置。
【請求項３３】
前記複数の突起は耐磨耗材料で形成される、請求項３２に記載の外付け型放熱装置。
【請求項３４】
前記導熱部の一端が前記電子装置の前記孔に挿入されたとき、前記電子装置内のスイッチはトリガーされ信号を出力する、請求項２４に記載の外付け型放熱装置。
【請求項３５】
前記スイッチは前記信号を出力することで、前記電子装置のファンの回転速度を調整する、請求項３４に記載の外付け型放熱装置。
【請求項３６】
前記導熱部は金属ロッドである、請求項２４に記載の外付け型放熱装置。
【請求項３７】
外付け型放熱装置と連結できる電子装置であって、
孔が形成された筐体と、
前記筐体内に設けられる熱源と、
前記筐体内で前記熱源の一側に設けられ、前記熱源による発熱を放散する放熱モジュールと、
外付け型放熱装置とを含み、外付け型放熱装置は、
前記電子装置の前記孔に挿入される一端を有し、抜出自由に前記放熱モジュールに連結され、前記放熱モジュールの熱を伝導するための導熱部と、
前記導熱部の他端に設けられ、前記導熱部から伝導されてきた前記放熱モジュールの熱を蓄積するための蓄熱部とを含む、電子装置。
【請求項３８】
前記蓄熱部は加熱器である、請求項３７に記載の電子装置。
【請求項３９】
前記蓄熱部は精油を加熱するための導熱容器である、請求項３８に記載の電子装置。
【請求項４０】
前記蓄熱部は導熱プレートである、請求項３８に記載の電子装置。
【請求項４１】
前記導熱部は締りばめ方式で前記放熱モジュールに連結される、請求項３７に記載の電子装置。
【請求項４２】
前記導熱部は挟持方式で前記放熱モジュールに連結される、請求項４１に記載の電子装置。
【請求項４３】
前記導熱部には複数の突起が形成され、前記放熱モジュールには、前記導熱部と前記放熱モジュールの連結時に複数の突起と係合するための、対応する複数の凹部が形成され、複数の突起は前記導熱部と前記放熱モジュールとの接触面積を増やすために用いられる、請求項３７に記載の電子装置。
【請求項４４】
前記複数の突起は耐磨耗材料で形成される、請求項４３に記載の電子装置。
【請求項４５】
前記導熱部には複数の凹部が形成され、前記放熱モジュールには、前記導熱部と前記放熱モジュールの連結時に複数の凹部と係合するための、対応する複数の突起が形成され、複数の凹部は前記導熱部と前記放熱モジュールとの接触面積を増やすために用いられる、請求項３７に記載の電子装置。
【請求項４６】
前記複数の突起は耐磨耗材料で形成される、請求項４５に記載の電子装置。
【請求項４７】
前記電子装置は更に、
前記筐体内に設けられるファンと、
前記ファンに電気的に接続され、前記導熱部の一端が前記電子装置の前記孔に挿入されたときにトリガーされ、前記ファンの回転速度を調整するスイッチとを含む、請求項３７に記載の電子装置。
【請求項４８】
前記導熱部は金属ロッドである、請求項３７に記載の電子装置。
【考案の詳細な説明】
【技術分野】
【０００１】
本考案は放熱装置に関し、特に電子装置内の放熱モジュールに連結できる外付け型放熱装置に関する。
【背景技術】
【０００２】
技術の発展にもかかわらず、現在の放熱システムにおいて放熱の問題は解決されていない。市販の放熱システムは、そのタイプによって異なった放熱方法を採用するが、従来の放熱技術ではもはや各種の熱源による大量の発熱を解決することができないので、電子装置が正常に動作できる温度に保持するために数多くの新技術が開発された。しかし、現在一般化された空気冷却システムは、冷却ファンをどれだけ改良しても放熱問題を解決しきれず、騒音や電力消費の問題がまだ残っている。特に電子製品の薄型化に伴い、電子製品内の狭い空間に設けられる放熱素子とファンは、その放熱効率がもはや要求を満足することができない。したがって、電子装置の内部素子による発熱を効率よく放散できる放熱装置の開発は、電気産業において課題とされている。
【考案の概要】
【考案が解決しようとする課題】
【０００３】
本考案は前述の問題を解決するために、電子装置内の放熱モジュールに連結できる外付け型放熱装置を提供する。
【課題を解決するための手段】
【０００４】
本考案では、電子装置内の放熱モジュールに連結するための外付け型放熱装置を開示する。外付け型放熱装置は、電子装置の孔に挿入される一端を有し、抜出自由に放熱モジュールに連結され、放熱モジュールの熱を伝導するための導熱部と、導熱部の他端に設けられ、導熱部から伝導されてきた前記放熱モジュールの熱を放散するための放熱部とを含む。
【０００５】
本考案では更に、外付け型放熱装置と連結できる電子装置を開示する。電子装置は、孔が形成された筐体と、筐体内に設けられる熱源と、筐体内で熱源の一側に設けられ、熱源による発熱を放散する放熱モジュールと、外付け型放熱装置とを含む。外付け型放熱装置は、筐体の孔に挿入される一端を有し、抜出自由に放熱モジュールに連結され、放熱モジュールの熱を伝導するための導熱部と、導熱部の他端に設けられ、導熱部から伝導されてきた放熱モジュールの熱を放散するための放熱部とを含む。
【０００６】
本考案では更に、電子装置内の放熱モジュールに連結するための外付け型放熱装置を開示する。外付け型放熱装置は、電子装置の孔に挿入される一端を有し、抜出自由に放熱モジュールに連結され、放熱モジュールの熱を伝導するための導熱部と、導熱部の他端に設けられ、導熱部から伝導されてきた放熱モジュールの熱を蓄積するための蓄熱部とを含む。
【０００７】
本考案では更に、外付け型放熱装置と連結できる電子装置を開示する。電子装置は、孔が形成された筐体と、筐体内に設けられる熱源と、筐体内で熱源の一側に設けられ、熱源による発熱を放散する放熱モジュールと、外付け型放熱装置とを含む。外付け型放熱装置は、電子装置の前記孔に挿入される一端を有し、抜出自由に放熱モジュールに連結され、放熱モジュールの熱を伝導するための導熱部と、導熱部の他端に設けられ、導熱部から伝導されてきた放熱モジュールの熱を蓄積するための蓄熱部とを含む。
【図面の簡単な説明】
【０００８】
【図１】本考案による電子装置を表す説明図である。
【図２】本考案の実施例２による放熱モジュールと外付け型放熱装置を表す説明図である。
【図３】本発明の実施例３による放熱モジュールと外付け型放熱装置を表す説明図である。
【図４】本発明の実施例４による電子装置を表す説明図である。
【考案を実施するための形態】
【０００９】
図１を参照する。図１は本考案による電子装置１０を表す説明図である。電子装置１０は筐体１２と、熱源１６と、放熱モジュール１８とを含む。筐体１２には孔１４が形成されている。熱源１６は、筐体１２内に設けられるプロセッサチップなどの電子素子である。放熱モジュール１８は、筐体１２内で熱源１６の一側に設けられており、熱源１６による発熱を放散する。電子装置１０は更に外付け型放熱装置２０を含み、外付け型放熱装置２０は、金属ロッドなど少なくとも１つの導熱部２２を含む。導熱部２２は、一端が筐体１２の孔１４に挿入され、抜出自由に放熱モジュール１８に連結されている。導熱部２２は締りばめ方式または挟持方式で放熱モジュール１８に連結され、放熱モジュール１８の発熱を伝導するために用いられる。外付け型放熱装置２０は更に、導熱部２２の一端に設けられる少なくとも１つの放熱部２４を含む。放熱部２４は導熱部２２から導かれた熱を放散するために用いられ、例えば放熱フィンである。外付け型放熱装置２０は更に、放熱部２４の一側に設けられ、放熱部２４により放散された熱を放散するための外付け型ファン２６を含む。また、電子装置１０は更に、筐体１２内に設けられ、放熱モジュール１８の熱を放散するファン２８を含む。電子装置１０は更に、ファン２８に電気的に接続され、導熱部２２の一端が電子装置１０の孔１４に挿入されるときにトリガーされ、ファン２８の回転速度やオン／オフ状態を調整するスイッチ３０を含む。導熱部２２と放熱部２４の設置位置と数量は前述に限らず、実際の応用によって異なりうる。
【００１０】
図２を参照する。図２は本考案の実施例２による放熱モジュール１８と外付け型放熱装置２０を表す説明図である。放熱面積を増加し、導熱部２２の放熱効率を向上させるために、導熱部２２には複数の突起２２１が形成されており、突起２２１は例えばリングである。また、放熱モジュール１８には、導熱部２２の複数の突起と係合するために、対応する複数の凹部１８１が形成されている。複数の突起２２１と複数の凹部１８１は導熱部２２と放熱モジュール１８との接触面積を増やすために用いられる。導熱部２２の複数の突起２２１は耐磨耗材料で形成されるので、導熱部２２の突起２２１と放熱モジュール１８の凹部１８１の結合時に突起２２１の磨耗を減らすことができる。突起２２１と凹部１８１の設置位置、数量、及び形状はいずれも前述に限らず、実際の要求に応じて設計することができる。
【００１１】
前記突起２２１と凹部１８１の配置も変更できる。図３を参照する。図３は本発明の実施例３による放熱モジュール１８と外付け型放熱装置２０を表す説明図である。実施例２に比べて、放熱面積を増やすために実施例３の導熱部２２には複数の凹部２２３が設けられている。また、放熱モジュール１８には、導熱部２２の複数の凹部２２３と係合するための対応する複数の突起１８３が設けられている。複数の凹部２２３と複数の突起１８３は導熱部２２と放熱モジュール１８との接触面積を増やすために用いられる。放熱モジュール１８の複数の突起１８３は耐磨耗材料で形成されるので、放熱モジュール１８の突起１８３と導熱部２２の凹部１８３の結合時に突起２２１の磨耗を減らすことができる。凹部２２３と突起１８３の設置位置、数量、及び形状はいずれも前述に限らず、実際の要求に応じて設計することができる。
【００１２】
図１から図３に示すように、本考案による外付け型放熱装置２０はロッド状構造物であり、筐体１２の孔１４から挿入されることで電子装置１０内の放熱モジュール１８に連結される。外付け型放熱装置２０を放熱モジュール１８に連結しない場合、放熱モジュール１８には筐体１２に連結される導熱構造物がないので、放熱モジュール１８は孔１４の環境温度を上げることなく、その発熱はファン２８の風力のみで均一に放散される。外付け型放熱装置２０を放熱モジュール１８に連結した場合、導熱部２２は放熱モジュール１８の熱を放熱部２４に伝導する。放熱モジュール１８は、電子装置１０外に設けられる放熱部２４で導熱部２２から伝導された熱を迅速に放散し、またはファン２６による強制対流と合わせて放熱部２４の熱を放散する。よりよい放熱効率を実現し、最大の接触面積を確保するために、外付け型放熱装置２０は締りばめ方式または挟持方式で放熱モジュール１８に結合される。また、電子装置１０において、外付け型放熱装置２０の導熱部２２と放熱モジュール１８にはそれぞれ、相互に対応する複数の突起と複数の凹部が形成されている。導熱部２２と放熱モジュール１８の連結時、相互に対応する複数の突起と複数の凹部は互いに係合し、それにより接触面積が増えて安定性が向上する。もっとも、導熱部２２と放熱モジュール１８の連結方式は前掲実施例に限らず、実際の要求に応じてスプリングで挟持するか、もしくはネジで螺合することで、導熱部２２と放熱モジュール１８の密着度を向上させることができる。
【００１３】
また、導熱部２２の一端を電子装置１０の孔１４に挿入した場合、放熱モジュール１８の熱は導熱部２２から放熱部２４に伝導され、電子装置１０の外へ放散される。外付け型放熱装置２０は放熱モジュール１８とともに熱源１６による発熱を放散するもので、その導熱部２２の一端を電子装置１０の孔１４に挿入するとスイッチ３０をトリガーし、スイッチ３０からファン２８の制御信号を送信するように設定してもよい。言い換えれば、スイッチ３０は外付け型放熱装置２０が放熱モジュール１８に正確に連結された場合にトリガーされ、電子装置１０の電力消費と騒音を減らすためにファン２８の回転速度を調整する（例えばファン２８の回転速度を低くしたりファン２８をオフにする）。したがって、外付け型ファン２６とファン２８の動作状態（オン／オフ）と回転速度設定（高速／低速）は、熱源１６による発熱、及び放熱モジュール１８と外付け型放熱装置２０との連結状態によって調整することができる。
【００１４】
図４を参照する。図４は本発明の実施例４による電子装置１０を表す説明図である。本実施例において前記実施例と同じ番号がつけられた素子は、前記実施例の素子と同じ構造と機能を有するので、ここで説明を省略する。電子装置１０は更に、導熱部２２の他端に設けられる蓄熱部３２を含む。蓄熱部３２は導熱部２２から伝導されてきた放熱モジュール１８の熱を蓄積する。蓄熱部３２は例えば、精油を収容する導熱容器などの加熱器である。導熱部２２から蓄熱部３２へ熱が伝導されると、蓄熱部３２は精油を加熱して芳香器として働く。或いは、蓄熱部３２として導熱プレートを利用し、その上に保温マグなどのものを保温するか、または他の加熱対象物を載せることができる。導熱部２２から熱が蓄熱部３２に伝導されると、蓄熱部３２は対象物を保温・加熱する。導熱部２２から伝導されてきた熱は廃熱であり、蓄熱部３２で回収して芳香器やコップ等の加熱・保温に用いることができる。もっとも、蓄熱部３２の用途は前述に限らず、実際の要求に応じて変更することができる。
【００１５】
従来の技術に比べて、本考案による外付け型放熱装置は放熱部が電子装置の孔から挿入され、電子装置内の放熱モジュールと直接連結されるので、放熱モジュールの熱を電子装置の外へ効率的に伝導することができる。また、外付け型放熱装置と放熱モジュールとの接触面積を増加して放熱効率を向上させるために、導熱部と放熱モジュールの表面にそれぞれ、相互に対応する複数の突起と複数の凹部を形成することができる。なお、本考案による電子装置は、外付け型放熱装置の設置状態をスイッチで検知し、検出結果により電子装置のファンの回転速度を調整し、電力消費と騒音を減らすことができる。
以上は本考案に好ましい実施例であって、本考案の実施の範囲を限定するものではない。よって、当業者のなし得る修正、もしくは変更であって、本考案の精神の下においてなされ、本考案に対して均等の効果を有するものは、いずれも本考案の実用新案登録請求の範囲に属するものとする。
【符号の説明】
【００１６】
１０  電子装置
１２  筐体
１４  孔
１６  熱源
１８  放熱モジュール
２０  外付け型放熱装置
２２  導熱部
２４  放熱部
２６  外付け型ファン
２８  ファン
３０  スイッチ
３２  蓄熱部
【図１】
0003156211.tif 000003
【図２】
0003156211.tif 000004
【図３】
0003156211.tif 000005
【図４】
0003156211.tif 000006